(57)【要約】【課題】  耳垢の侵入を防ぐことができ、付着した耳垢を容易に取り除くことができる補聴器を提供する。【解決手段】  外耳道に装着する外耳道装着部５を有する補聴器であって、外耳道装着部５の先端に、イヤホン６から出力される音を外耳道に導くトンネル７にほぼ直交して横切る貫通孔８を設け、この貫通孔８に木綿糸１２を複数回通し、その両端を結んで玉結び１２ａとし、複数本の木綿糸１２の束と玉結び１２ａを、トンネル７の開口部７ａ上に配置した。【選択図】        図１
2008301306.tif 000002
【特許請求の範囲】
【請求項１】
外耳道に装着される外耳道装着部を有する補聴器であって、前記外耳道装着部の先端近傍に直線的に貫通する貫通孔を設け、この貫通孔に糸状又は帯状の透湿性部材を通し、その両端を結んだことを特徴とする補聴器。
【請求項２】
前記貫通孔は、イヤホンから出力される音を外耳道に導くトンネルを横切り、前記糸状又は帯状の透湿性部材は、前記トンネルの開口部に配置される請求項１記載の補聴器。
【請求項３】
前記透湿性部材は、少なくとも１回前記貫通孔を通る請求項１又は２記載の補聴器。
【請求項４】
前記透湿性部材は、木綿糸である請求項１、２又は３記載の補聴器。
【発明の詳細な説明】
【技術分野】
【０００１】
本発明は、湿気除去手段及び耳垢侵入防止手段を施した補聴器に関する。
【背景技術】
【０００２】
従来、耳穴形補聴器の湿気除去手段としては、ベントに糸状の透湿性部材を通して、外耳道内の湿気を外部に排出するものが知られている（例えば、特許文献１参照）。
また、耳穴形補聴器の耳垢侵入防止手段としては、耳垢防止チップの前面に耳垢フィルタを取り付け、耳垢の詰まりを防止するものが知られている（例えば、特許文献２参照）。
【０００３】
【特許文献１】特開２００５−３０３９２９号公報
【特許文献２】特表平７−５０１６７３号公報
【発明の開示】
【発明が解決しようとする課題】
【０００４】
しかし、特許文献１に記載の耳穴形補聴器においては、直線的でないベントに糸状の透湿性部材を通すことが難しく、更に糸状の透湿性部材を固定する方法が複雑で、家庭で行うのが非常に困難である。
また、特許文献２に記載の耳穴形補聴器においては、耳垢フィルタを用いるため、コスト高になり、装用者の経済的負担が大きい。
【０００５】
本発明は、従来の技術が有するこのような問題点に鑑みてなされたものであり、その目的とするところは、耳垢の侵入を防ぐことができ、付着した耳垢を容易に取り除くことができる補聴器を提供しようとするものである。
【課題を解決するための手段】
【０００６】
上記課題を解決すべく請求項１に係る発明は、外耳道に装着される外耳道装着部を有する補聴器であって、前記外耳道装着部の先端近傍に直線的に貫通する貫通孔を設け、この貫通孔に糸状又は帯状の透湿性部材を通し、その両端を結んだものである。
【０００７】
請求項２に係る発明は、請求項１記載の補聴器において、前記貫通孔は、イヤホンから出力される音を外耳道に導くトンネルを横切り、前記糸状又は帯状の透湿性部材は、前記トンネルの開口部に配置されるものである。
【０００８】
請求項３に係る発明は、請求項１又は２記載の補聴器において、前記透湿性部材を、少なくとも１回前記貫通孔に通すものである。
【０００９】
請求項４に係る発明は、請求項１、２又は３記載の補聴器において、前記透湿性部材を木綿糸とした。
【発明の効果】
【００１０】
請求項１に係る発明によれば、貫通孔に糸状又は帯状の透湿性部材を通し、その両端を結ぶだけで、耳垢の侵入を防ぐことができ、また透湿性部材を交換するだけで、透湿性部材に付着した耳垢や水分を容易に取り除くことができる。更に、販売店などに依頼することなく、装用者が容易に透湿性部材の交換作業を行うことができる。
【００１１】
請求項２に係る発明によれば、音響ダンパをトンネル内に設置した場合でも、音響ダンパが耳垢による目詰まりを起こし難くなる。
【００１２】
請求項３に係る発明によれば、透湿性部材を貫通孔に複数回通して、その両端を結べば、耳垢の侵入をより確実に防ぐことができる。
【００１３】
請求項４に係る発明によれば、安価な部材により、防湿効果及び耳垢侵入防止効果を奏することができる。
【発明を実施するための最良の形態】
【００１４】
以下に本発明の実施の形態を添付図面に基づいて説明する。ここで、図１は本発明に係る補聴器の斜視図、図２は同じく要部断面図、図３は透湿性部材の組み付け説明図である。
【００１５】
本発明に係る補聴器は、図１に示すように、樹脂製のシェル１とフェースプレート２でケース体３を形成した耳穴形補聴器である。４はベントである。なお、本発明は耳穴形補聴器だけでなく、耳せん内にイヤホンを備える耳かけ形補聴器にも適用できる。
【００１６】
シェル１の先端には、外耳道に装着される外耳道装着部５が形成され、外耳道装着部５には、図２に示すように、イヤホン６から出力される音を外耳道に導くトンネル７と、このトンネル７にほぼ直交して横切る直線状の貫通孔８が設けられている。貫通孔８は、シェル１を製作する時に設けることもできるし、シェル１製作後の加工で設けることもできる。９はイヤホンチューブ、１０はトンネル７の開口部７ａに装着された耳垢防止チップ、１１は音響ダンパである。なお、図２は貫通孔８に木綿糸１２を通す前の状態を示している。
【００１７】
貫通孔８には、図１に示すように、木綿糸１２が複数回通されている。そして、複数回通された木綿糸１２の両端で玉結びをしている。玉結び１２ａは、装用時の妨げにならないように、トンネル７の開口部７ａ上に配置されている。木綿糸１２を貫通孔８に通すには、図３に示すように、先ず裁縫用の針１３に所定長さの木綿糸１２を通す。次いで、木綿糸１２を通した針１３を貫通孔８に差し込んで、針１３に通した木綿糸１２を貫通孔８に通す。
【００１８】
更に、貫通孔８を通った木綿糸１２が開口部７ａ上を通過するようにして、木綿糸１２を通した針１３を貫通孔８に再度差し込む。このような作業を繰り返して、木綿糸１２を貫通孔８に複数回通す。木綿糸１２を貫通孔８に複数回通したら、木綿糸１２を適当な長さの所で切断し、開口部７ａ上で木綿糸１２の両端による玉結びをする。次いで、余分な木綿糸１２は切断する。すると、複数本の木綿糸１２の束と玉結び１２ａが、トンネル７の開口部７ａ上に形成される。
【００１９】
以上のように構成された本発明に係る補聴器の作用について説明する。先ず、貫通孔８に木綿糸１２を複数回通して、複数本の木綿糸１２の束と玉結び１２ａを開口部７ａ上に配置した耳穴形補聴器を装用する。すると、耳穴形補聴器を装用する際や装用中に、耳垢が外耳道の壁から剥げ落ちる場合がある。剥げ落ちた耳垢の一部は、外耳道に臨む外耳道装着部５に付着する。
【００２０】
外耳道装着部５に付着した耳垢の中で、開口部７ａから侵入しようとする耳垢は、開口部７ａを跨ぐ複数本の木綿糸１２の束と玉結び１２ａにより侵入を阻止され、木綿糸１２の束や玉結び１２ａに付着することになる。また、装用中に外耳道内に生じる湿気は、木綿糸１２の吸湿効果により木綿糸１２に吸収される。
【００２１】
そして、装用者が木綿糸１２の束や玉結び１２ａに付着している耳垢の量から、木綿糸１２を交換した方がよいと判断したら、先ず木綿糸１２をはさみなどで切断し、貫通孔８や開口部７ａから取り除く。そうすれば、取り除いた木綿糸１２と共に、木綿糸１２に付着していた耳垢が容易に取り除かれる。
【００２２】
次いで、新たな木綿糸１２を通した針１３を使って、木綿糸１２を貫通孔８に複数回通して、複数本の木綿糸１２の束と玉結び１２ａを開口部７ａ上に配置すれば、木綿糸１２の交換作業が終了する。このように、木綿糸１２の交換作業は、販売店などに依頼することなく、装用者が容易に行うことができる。
なお、透湿性部材としては、木綿糸１２の他、帯状の木綿布、不織布やゴアテックス(登録商標)でもよい。
【産業上の利用可能性】
【００２３】
木綿糸１２などの透湿性部材を交換することで、透湿性部材に付着した耳垢を容易に取り除くことができ、その交換作業は、販売店などに依頼することなく、装用者が容易に行うことができる。よって、使い勝手がよくなり、常に快適な状態で補聴器を装用することができるので、補聴器の需要拡大に寄与する。
【図面の簡単な説明】
【００２４】
【図１】本発明に係る補聴器の斜視図
【図２】本発明に係る補聴器の要部断面図
【図３】透湿性部材の組み付け説明図
【符号の説明】
【００２５】
１…シェル、２…フェースプレート、３…ケース体、５…外耳道装着部、６…イヤホン、７…トンネル、７ａ…開口部、８…貫通孔、１２…木綿糸、１２ａ…玉結び、１３…針。
【図１】
2008301306.tif 000003
【図２】
2008301306.tif 000004
【図３】
2008301306.tif 000005